(57)【要約】【課題】切断後に意図しない方向へ媒体が進行してしまうことを抑止し媒体を安定して搬送する。【解決手段】用紙切断部６は、用紙Ｐが搬送される搬送路３Ｙに対し用紙Ｐの紙面に直交する厚さ方向の一方向側である上側に設けられた固定刃ユニット２８と、搬送路３Ｙに対し一方向側とは逆方向側である下側に設けられ、回転刃回転方向Ｄｒ１へ回転することにより固定刃ユニット２８の固定刃３２ｂと刃先を交差させて、搬送される用紙Ｐを切断箇所ＣＰにおいて切断する回転刃ユニット４２と、切断箇所ＣＰよりも搬送方向の上流側に設けられ、用紙を回転刃ユニット４２側へ付勢する案内部材５２とを設ける。【選択図】図１０
2020138239.tif 000002
【特許請求の範囲】
【請求項１】
媒体が搬送される搬送路に対し前記媒体の紙面に直交する厚さ方向の一方向側に設けられた固定刃と、
前記搬送路に対し前記一方向側とは逆方向側に設けられ、回転方向へ回転することにより前記固定刃と刃先を交差させて、搬送される前記媒体を切断箇所において切断する回転刃と
前記切断箇所よりも前記媒体が搬送される搬送方向の上流側に設けられ、前記媒体を前記回転刃側へ付勢する案内部材と
を有する媒体切断装置。
【請求項２】
前記案内部材は、前記固定刃における前記搬送路側の先端よりも前記回転刃側へ突出する
請求項１に記載の媒体切断装置。
【請求項３】
前記案内部材は、前記固定刃と連動するよう設けられている
請求項１に記載の媒体切断装置。
【請求項４】
前記案内部材は、前記固定刃に固定されている
請求項３に記載の媒体切断装置。
【請求項５】
前記案内部材は、前記厚さ方向と前記搬送方向とに直交する搬送幅方向における、前記媒体の切断が開始される切断開始位置側に少なくとも設けられる
請求項１に記載の媒体切断装置。
【請求項６】
前記案内部材は、前記搬送路を搬送される、互いに異なる前記搬送幅方向の幅を有する複数種類の前記媒体における前記切断開始位置側の端部を含む範囲に亘って設けられる
請求項５に記載の媒体切断装置。
【請求項７】
前記案内部材は、前記搬送幅方向に沿って連続的に形成される
請求項５又は請求項６に記載の媒体切断装置。
【請求項８】
前記案内部材は、可撓性を有する弾性部材である
請求項１に記載の媒体切断装置。
【請求項９】
前記案内部材は、前記媒体の剛性に応じて変形する
請求項８に記載の媒体切断装置。
【請求項１０】
前記固定刃は、前記回転刃に向かって所定の付勢力で付勢されており、
前記案内部材は、前記付勢力よりも強い力で前記固定刃が前記回転刃から離れる厚さの前記媒体に当接すると、前記固定刃側へ変形する
請求項９に記載の媒体切断装置。
【請求項１１】
前記案内部材は、フィルムである
請求項１０に記載の媒体切断装置。
【請求項１２】
前記固定刃は、前記搬送路に対し上側に設けられ、
前記回転刃は、前記搬送路に対し下側に設けられる
請求項１に記載の媒体切断装置。
【請求項１３】
請求項１乃至請求項１２の何れかに記載の媒体切断装置
を有する画像形成装置。
【発明の詳細な説明】
【技術分野】
【０００１】
本発明は媒体切断装置及び画像形成装置に関し、例えば、電子写真方式のプリンタや複写機等の画像形成装置に適用して好適なものである。
【背景技術】
【０００２】
従来、長尺のシート材が搬送される搬送路の上側に位置する固定刃と、該搬送路の下側に位置し回転する回転刃との刃先を交差させて、該シート材を搬送しつつ切断する媒体切断装置がある（例えば、特許文献１参照）。
【先行技術文献】
【特許文献】
【０００３】
【特許文献１】特開２０１０−７６０９０号公報
【発明の概要】
【発明が解決しようとする課題】
【０００４】
このような媒体切断装置においては、図１２に示す用紙切断部１０６がある。用紙切断部１０６は、搬送路３Ｙの上側に位置する固定刃３２ｂと、搬送路３Ｙの下側に位置する回転刃４６ｂとを有し、搬送ローラ対５ｂにより用紙Ｐを搬送しつつ回転刃４６ｂを回転刃回転方向Ｄｒへ回転させて、用紙Ｐを切断する。用紙切断部１０６においては、特に、厚さが薄い薄紙用紙Ｐｎを搬送しつつ切断する際に、用紙切断中に切断箇所ＣＰよりも薄紙用紙Ｐｎの搬送方向上流側の部分における搬送方向下流側端部が下方向を向くように上側へ撓んだ場合、用紙切断終了時に薄紙用紙Ｐｎの撓みが解放されると、図１３に示すように、回転刃４６ｂよりも下側へ薄紙用紙Ｐｎの先端が潜り込み、用紙が詰まるジャムが発生する可能性があった。
【０００５】
本発明は以上の点を考慮してなされたもので、切断後に意図しない方向へ媒体が進行してしまうことを抑止し媒体を安定して搬送し得る媒体切断装置及び画像形成装置を提案しようとするものである。
【課題を解決するための手段】
【０００６】
かかる課題を解決するため本発明の媒体切断装置においては、媒体が搬送される搬送路に対し媒体の紙面に直交する厚さ方向の一方向側に設けられた固定刃と、搬送路に対し一方向側とは逆方向側に設けられ、回転方向へ回転することにより固定刃と刃先を交差させて、搬送される媒体を切断箇所において切断する回転刃と、切断箇所よりも媒体が搬送される搬送方向の上流側に設けられ、媒体を回転刃側へ付勢する案内部材とを設けるようにした。
【０００７】
また本発明の画像形成装置においては、上述した媒体切断装置を設けるようにした。
【０００８】
本発明は、媒体の切断後に、回転刃側への撓みを解消しようとする媒体の復元力により、切断箇所よりも搬送方向の上流側に位置する媒体における搬送方向の下流側の端部を固定刃側へ進行させることができる。
【発明の効果】
【０００９】
本発明によれば、媒体の切断後に、回転刃側への撓みを解消しようとする媒体の復元力により、切断箇所よりも搬送方向の上流側に位置する媒体における搬送方向の下流側の端部を固定刃側へ進行させることができる。かくして本発明は、切断後の媒体の撓みを抑止し媒体を安定して搬送し得る媒体切断装置及び画像形成装置を実現できる。
【図面の簡単な説明】
【００１０】
【図１】画像形成装置の外部構成を示す斜視図である。
【図２】画像形成装置の内部構成を示す右側面図である。
【図３】カバークローズ状態の固定刃ユニット及び回転刃ユニットの構成を示す平面図である。
【図４】カバーオープン状態の固定刃ユニット及び回転刃ユニットの構成（１）を示す斜視図である。
【図５】カバーオープン状態の固定刃ユニット及び回転刃ユニットの構成（２）を示す斜視図である。
【図６】回転刃部の構成を示す斜視図である。
【図７】用紙切断部の構成を示す図３におけるＡ−Ａ矢視断面図である。
【図８】薄紙用紙が搬送される様子（１）を示す図３におけるＡ−Ａ矢視断面図である。
【図９】薄紙用紙が搬送される様子（２）を示す図３におけるＡ−Ａ矢視断面図である。
【図１０】薄紙用紙が搬送される様子（３）を示す図３におけるＡ−Ａ矢視断面図である。
【図１１】厚紙用紙が搬送される様子を示す図３におけるＡ−Ａ矢視断面図である。
【図１２】従来の用紙切断部において薄紙用紙が搬送される様子（１）を示す横断面図である。
【図１３】従来の用紙切断部において薄紙用紙が搬送される様子（２）を示す横断面図である。
【発明を実施するための形態】
【００１１】
以下、発明を実施するための形態（以下実施の形態とする）について、図面を用いて説明する。
【００１２】
［１．画像形成装置の構成］
図１及び図２に示すように画像形成装置１は、電子写真方式のプリンタとして構成されており、例えば長尺の用紙に対し、所望のカラー画像を印刷する。画像形成装置１は、大きく分けて、印刷処理を行う本体部２と、本体部２の後側に設けられ用紙の搬送及び切断を行う搬送切断部３と、搬送切断部３の後側に設けられ用紙を供給する図示しないロールフィーダユニットとにより構成されている。説明の都合上、以下では、本体部２側を前側、搬送切断部３側を後側とし、図２における紙面の手前側を右側、奥側を左側とし、さらに上側及び下側を定義した上で、説明する。用紙は、左右方向に沿った芯材（図示せず）の周側面を周回するように巻き付けられてロール状となっており、印刷時にその最外周から一端が引き剥がされ、後述する搬送路に沿って走行する。
【００１３】
搬送切断部３には、前後方向に沿った搬送路３Ｙが形成されており、この搬送路３Ｙに沿って、後ろから前に向かって順に用紙ガイド４、搬送ローラ対５ａ及び用紙切断部６が設けられている。用紙ガイド４は、搬送路３Ｙを搬送される用紙の上面をガイドするガイド面が形成された上側用紙ガイド４ｕと、用紙の下面をガイドするガイド面が形成された下側用紙ガイド４ｄとにより構成されている。搬送ローラ対５ａ及び搬送ローラ対５ｂは、搬送路３Ｙを上下から挟むように配置された２本の搬送ローラにより構成されており、各搬送ローラを適宜回転させることにより、前方向を搬送方向として用紙を進行させる。以下では、用紙の紙面に対し直交する厚さ方向と、搬送方向とに直交する左右方向を、搬送幅方向とも呼ぶ。
【００１４】
用紙切断部６は、固定された固定刃と回転する回転刃とにより構成され用紙を搬送しながら切断するロータリー式カッターユニットである。この用紙切断部６は、内部に用紙を切断する固定刃及び回転刃や用紙を搬送する搬送ローラ対等が組み込まれている。この用紙切断部６は、搬送方向に沿った所定の用紙長毎に用紙を裁断し、搬送ローラ対５ｂにより用紙を搬送路３Ｙに沿って搬送し、前方の本体部２内へ進行させ、搬送ローラ対５ｃに引き渡す。
【００１５】
本体部２には、前後方向に沿った搬送路２Ｙが形成されている。搬送ローラ対５ｃは、搬送路２Ｙを上下から挟むように配置された２本の搬送ローラにより構成されており、各搬送ローラを適宜回転させることにより、搬送路２Ｙに沿って用紙を前方へ搬送する。本体部２は、直方体状に形成された本体部筐体７の内部における上寄りに、画像形成部８が設けられている。画像形成部８には、３つのプロセスユニット９が前後方向に沿って整列するように配置されている。各プロセスユニット９は、図示しない制御部の制御に基づいて所定の色のトナー画像を形成し、これらを転写ベルト１０により搬送された用紙にそれぞれ転写する。転写ベルト１０は、複数のベルトローラの間に張架されて走行し、搬送路２Ｙに沿って用紙を前方へ搬送し、定着器１１に到達させる。
【００１６】
定着器１１は、搬送路２Ｙの下側及び上側にそれぞれ配置された各定着ローラをそれぞれ加熱すると共に回転させ、用紙に熱及び圧力を加えてトナー画像を定着させて、これを前方の搬送ローラ対５ｄに引き渡す。搬送ローラ対５ｄは、搬送路２Ｙを上下から挟むように配置された２本の搬送ローラにより構成されており、各搬送ローラを適宜回転させることにより、搬送路２Ｙに沿って用紙を前方へ搬送し、排出口から外部へ排出する。
【００１７】
［２．用紙切断部の構成］
図４及び図５に示すように用紙切断部６は、大きく分けて、主に搬送路３Ｙ（図２）の上側に配置された固定刃ユニット２８と、主に搬送路３Ｙ（図２）の下側に配置された回転刃ユニット４２とにより構成されている。固定刃ユニット２８は、回転刃ユニット４２に対し、図３に示す開閉軸２３を支点として図４及び図５に示すカバーオープン状態と図３に示すカバークローズ状態との間を遷移するように回動可能となっている。
【００１８】
用紙切断部６は、該用紙切断部６により切断動作が行われると共に本体部２により印刷動作が行われる場合には、搬送路３Ｙが外部に露出しないように開閉軸２３（図３）を支点として固定刃ユニット２８が押し下げられ搬送路３Ｙが外部から閉鎖されることにより、用紙切断部６の内部を保護するカバークローズ状態となる。一方用紙切断部６は、用紙切断部６の内部に詰まったジャム用紙がユーザにより取り除かれる等の保守作業が行われる保守作業時の場合には、搬送路３Ｙが外部に露出するように開閉軸２３（図３）を支点として固定刃ユニット２８が持ち上げられ搬送路３Ｙが外部に開放されることにより、内部の各部に対する作業を容易に行わせ得るカバーオープン状態となる。
【００１９】
［３．回転刃ユニットの構成］
図３、図４及び図５に示すように回転刃ユニット４２は、回転刃ブラケット４４及び回転刃部４６により構成されている。回転刃ブラケット４４は、板金により形成され、正面視で上方が開口する英大文字の「Ｕ」のような形状であり、回転刃軸支持部４４Ｒ、回転刃軸支持部４４Ｌ及び左右延在部４４Ｃにより構成されている。回転刃軸支持部４４Ｒは、固定刃３２ｂ（後述する）よりも右方向の外側において前後上下方向に延びる板状部材であり、図６に示す回転刃部４６の回転刃軸４６ａが回転可能に嵌め込まれる回転刃軸支持孔４４ｈが穿設されている。回転刃軸支持部４４Ｌは、固定刃３２ｂ（後述する）よりも左方向の外側において回転刃軸支持部４４Ｒと左右方向に対向して前後上下方向に延びる板状部材であり、回転刃部４６の回転刃軸４６ａが回転可能に嵌め込まれる回転刃軸支持孔４４ｈが穿設されている。左右延在部４４Ｃは、左右方向に延在し、回転刃軸支持部４４Ｒと回転刃軸支持部４４Ｌとに接続されている。
【００２０】
回転刃部４６（図６及び図７）は、回転刃軸４６ａ及び回転刃４６ｂにより構成されている。回転刃軸４６ａは、左右方向に沿って延在する略円柱形状であり、回転刃軸支持部４４Ｒ及び回転刃軸支持部４４Ｌの回転刃軸支持孔４４ｈに図８中反時計回りである回転刃回転方向Ｄｒへ回転可能に嵌め込まれている。回転刃４６ｂは、回転刃軸４６ａにおける回転刃軸支持部４４Ｒと回転刃軸支持部４４Ｌとの間に設けられ、搬送幅方向に沿って刃先が螺旋状に形成されており、カッタ駆動ギヤ４８から駆動力が伝達され回転することにより用紙を裁断する。
【００２１】
回転刃軸支持部４４Ｒ及び回転刃軸支持部４４Ｌには、固定刃軸３２ａ（後述する）が嵌まり込むよう側面視で上方が開口した嵌合溝５０Ｒ及び嵌合溝５０Ｌがそれぞれ形成されている。
【００２２】
回転刃４６ｂ（図７）の前側、下側及び後側には、搬送される用紙の下面側をガイドする上向きガイド５６が、回転刃４６ｂの回転軌跡としないように設けられている。
【００２３】
［４．固定刃ユニットの構成］
図４及び図５に示すように固定刃ユニット２８は、固定刃板金３０及び固定刃部３２により構成されている。固定刃板金３０は、主に固定刃板金本体部３０ｍ及び固定刃軸支持部３０ｓにより構成されている。固定刃板金本体部３０ｍは、左右方向に延設された板状の板金である。固定刃軸支持部３０ｓは、固定刃板金本体部３０ｍの左右方向の両端部から立設している。固定刃軸支持部３０ｓには、固定刃部３２の固定刃軸３２ａが嵌め込まれる固定刃軸支持孔３０ｓｈが穿設されている。
【００２４】
固定刃部３２は、固定刃部フレーム３２ｆ、固定刃３２ｂ及び固定刃軸３２ａにより構成されている。固定刃部フレーム３２ｆは、左右方向に延設された板金であり、左右両端部において、固定刃軸３２ａが挿入される固定刃軸孔３２ｈが穿設されている。また固定刃部フレーム３２ｆは、図７に示すように下端部の横断面が英大文字の「Ｌ」のような形状であり、前端部がフレーム前端部３２ｆｂ、下端部がフレーム下端部３２ｆｄとなっている。固定刃３２ｂは、金属製であり、搬送幅方向に沿って延びており、固定刃部フレーム３２ｆのフレーム前端部３２ｆｂに固定されている。この固定刃３２ｂは、回転刃４６ｂと当接する下端部である切断箇所ＣＰを搬送路３Ｙ上に位置させている。固定刃軸３２ａは、図３に示すように、左右方向に対し、右端部が左端部よりも後方（すなわち搬送方向上流側）に位置するように傾斜して延在する円柱形状であり、固定刃部フレーム３２ｆ（図４、図５及び図７）の固定刃軸孔３２ｈに挿入されている。このため固定刃軸３２ａは、開閉軸２３（図３）に対し傾斜している。固定刃部３２は、固定刃軸３２ａが固定刃板金３０の固定刃軸支持孔３０ｓｈに回転可能に嵌め込まれることにより、固定刃板金３０に回転可能に支持される。このように固定刃３２ｂが固定刃部フレーム３２ｆに固定されると共に固定刃部フレーム３２ｆが固定刃軸３２ａを支持するため、固定刃３２ｂは固定刃軸３２ａと共に可動する。また固定刃軸３２ａにはばね３４（図３、図５及び図７）が巻き付けられており、該ばね３４は、固定刃部３２の固定刃３２ｂを回転刃部４６の回転刃４６ｂに押し付けるように、固定刃３２ｂを回転刃４６ｂに向けて所定の付勢力で付勢している。このように固定刃３２ｂは、固定刃板金３０に対し揺動可能に支持されると共に回転刃４６ｂへ向けて付勢されることにより、用紙切断時の荷重を一定にし、長寿命化している。
【００２５】
かかる構成において用紙切断部６は、カバークローズ状態において搬送ローラ対５ｂにより用紙を搬送しつつ、回転刃４６ｂを回転させることにより、該用紙の右端部側である切断開始位置Ｐｃｓ側から該用紙の切断を開始し、用紙の左端部側である切断終了位置Ｐｃｅ側で該用紙の切断を終了する。このように用紙切断部６は、用紙の右端部側である切断開始位置Ｐｃｓから左端部側である切断終了位置Ｐｃｅに向かって用紙を搬送幅方向へ沿って切断する。以下では、切断箇所ＣＰにおいて切断された用紙における、切断箇所ＣＰよりも搬送方向の上流側に位置する部分を、次用紙Ｐｓ（図９）とも呼び、該次用紙Ｐｓにおける搬送方向の下流側の端部を次用紙先端Ｐｓｅ（図９）とも呼ぶ。
【００２６】
［５．案内部材の構成］
図３、図４、図５及び図７に示すように、固定刃部フレーム３２ｆのフレーム下端部３２ｆｄの下側面における切断開始位置Ｐｃｓ側には、案内部材５２が接着部材５４により固定されている。
【００２７】
接着部材５４は、両面テープであり、フレーム下端部３２ｆｄの下側面において、切断開始位置Ｐｃｓ側の端部における搬送方向上流側の端部に接着されている。この接着部材５４は、前後方向の長さが、フレーム下端部３２ｆｄの前後方向の長さのほぼ半分程度であり、左右方向の長さが、フレーム下端部３２ｆｄの左右方向の長さの半分弱である、４０〜４５［％］％程度となっている。
【００２８】
案内部材５２は、可撓性を有する弾性変形可能な薄いフィルムであり、フレーム下端部３２ｆｄの下側面において、切断開始位置Ｐｃｓ側の端部における搬送方向上流側の端部に接着されている。この案内部材５２は、前後方向の長さが、フレーム下端部３２ｆｄの前後方向の長さよりも長く、左右方向の長さが、接着部材５４と同等であり、フレーム下端部３２ｆｄの左右方向の長さの半分弱である、４０〜４５［％］程度となっている。この案内部材５２は、下端部が固定刃３２ｂの下端部よりも下方向へ突出している。すなわち案内部材５２は、下端部が搬送路３Ｙよりも回転刃４６ｂ側へ突出している。また案内部材５２は、画像形成装置１において取り扱われる、互いに異なる搬送幅方向の幅を有する複数種類の全ての用紙における、切断開始位置Ｐｃｓ側の端部を含む範囲に亘って搬送幅方向に沿って連続的に設けられている。
【００２９】
このように案内部材５２は、固定刃部フレーム３２ｆに固定されているため、固定刃部３２と連動して移動することとなる。
【００３０】
［６．用紙切断動作］
かかる構成において、厚さが薄い用紙である薄紙用紙Ｐｎを切断する場合、用紙切断部６は、図８に示すように搬送ローラ対５ｂにより用紙を搬送する。このとき用紙切断部６は、案内部材５２の下端部を薄紙用紙Ｐｎに当接させ、搬送路３Ｙから下側である回転刃４６ｂ側へ向けて付勢することにより、薄紙用紙Ｐｎにおける、切断箇所ＣＰよりも搬送方向の上流側（後側）を、下カーブを形成するように下側である回転刃４６ｂ側へ撓ませる。
【００３１】
続いて用紙切断部６は、図９に示すように回転刃４６ｂを回転させて回転刃４６ｂの先端と固定刃３２ｂの先端とを切断箇所ＣＰにおいて交差させ、薄紙用紙Ｐｎを切断する。薄紙用紙Ｐｎの切断中において用紙切断部６は、次用紙Ｐｓの次用紙先端Ｐｓｅを回転刃４６ｂの先端と固定刃３２ｂの先端とにより挟持して、回転刃４６ｂの先端の厚みの分だけ、次用紙Ｐｓの移動を一時的に堰き止めることとなる。このとき薄紙用紙Ｐｎは、移動が一時的に停止された状態で搬送ローラ対５ｂにより搬送方向へ繰り出されるため、切断箇所ＣＰよりも搬送方向の上流側が回転刃４６ｂ側へ大きく撓むこととなる。
【００３２】
薄紙用紙Ｐｎの切断が完了すると、用紙切断部６は、回転刃４６ｂの先端を固定刃３２ｂの先端から離隔させることにより、次用紙Ｐｓの次用紙先端Ｐｓｅを解放する。図１０に示すように次用紙Ｐｓは、切断箇所ＣＰよりも搬送方向の上流側の下方向への撓みが解放された瞬間に、撓んでいない通常の形状へ復元力により戻ろうとし、次用紙先端Ｐｓｅが搬送路３Ｙに対し上側である固定刃３２ｂ側へ向かって進行する。これにより用紙切断部６は、次用紙Ｐｓの次用紙先端Ｐｓｅが回転刃４６ｂよりも下側へ潜り込んでしまうことを防止できる。
【００３３】
このように用紙切断部６は、切断箇所ＣＰよりも搬送方向の上流側において薄紙用紙Ｐｎを搬送路３Ｙよりも回転刃４６ｂ側へ撓ませるように、撓み方向を規制するようにした。これにより用紙切断部６は、搬送路３Ｙよりも回転刃４６ｂ側へ付勢された次用紙Ｐｓが撓んでいない状態へ戻ろうとする復元力により、次用紙先端Ｐｓｅの進行方向を搬送路３Ｙよりも固定刃３２ｂ側へ向かわせることができ、回転刃４６ｂ側へ進行させないようにできる。
【００３４】
また、図１１に示すように、薄紙用紙Ｐｎよりも厚さが厚い厚紙用紙Ｐｃを切断する場合、厚紙用紙Ｐｃが案内部材５２の下端部に当接すると、案内部材５２は可撓性を有する弾性変形可能な薄いフィルムであるため、該厚紙用紙Ｐｃに当接した該案内部材５２の先端が、搬送路３Ｙに対し該厚紙用紙Ｐｃの搬送経路から退避するように上側である固定刃３２ｂ側へ撓むこととなる。また厚紙用紙Ｐｃは、薄紙用紙Ｐｎよりも変形しにくく次用紙先端Ｐｓｅが垂れにくいため、案内部材５２によって下方向へ撓まなかったとしても、次用紙Ｐｓの次用紙先端Ｐｓｅが回転刃４６ｂの下側へ潜り込んでしまう可能性は低い。
【００３５】
［７．効果等］
以上の構成において用紙切断部６は、切断箇所ＣＰよりも搬送方向上流側である固定刃部フレーム３２ｆのフレーム下端部３２ｆｄに、下端部が固定刃３２ｂの下端部よりも下方へ突出するように案内部材５２を固定するようにした。このため用紙切断部６は、薄紙用紙Ｐｎを切断する場合に、該薄紙用紙Ｐｎにおける切断箇所ＣＰよりも搬送方向上流側を回転刃４６ｂ側へ撓ませるように付勢して案内できる。これにより用紙切断部６は、薄紙用紙Ｐｎの切断後に、回転刃４６ｂ側への撓みを解消しようとする薄紙用紙Ｐｎの復元力により、次用紙Ｐｓにおける次用紙先端Ｐｓｅを固定刃３２ｂ側へ進行するように誘導できる。かくして用紙切断部６は、薄紙用紙Ｐｎの切断時に次用紙Ｐｓにおける次用紙先端Ｐｓｅが回転刃４６ｂ側へ向かって進行し回転刃４６ｂ側の下側に潜り込んでジャムが発生してしまうことを防止できる。
【００３６】
また用紙切断部６は、案内部材５２を固定刃部フレーム３２ｆに固定するようにした。このため用紙切断部６は、案内部材５２を固定刃部３２と連動して移動させることができる。これにより用紙切断部６は、案内部材５２を固定刃部３２に固定しない場合と比較して、構成が複雑化してしまうことを防止できると共に、切断箇所ＣＰと案内部材５２の先端との相対的な位置の位置精度を保つことができ、用紙の進行方向への案内性能を安定化させることができる。
【００３７】
ここで、画像形成装置１において取り扱われる用紙が複数種類である場合、これら複数種類の用紙は、互いに異なる搬送幅方向の幅であることがある。そのような場合において、用紙の搬送幅方向の中央部を、搬送路３Ｙにおける搬送幅方向の中央部や右端部に合わせるように搬送すると、互いに異なる搬送幅方向の幅を有する複数種類の用紙は、切断箇所ＣＰにおいて切断され始める搬送幅方向の位置が互いに異なることとなる。
【００３８】
これに対し用紙切断部６は、画像形成装置１において取り扱われる、互いに異なる搬送幅方向の幅を有する複数種類の全ての用紙における、切断開始位置Ｐｃｓ側の端部を含む範囲に亘って案内部材５２を設けるようにした。これにより用紙切断部６は、互いに異なる搬送幅方向の幅を有する様々な種類の用紙に対し、次用紙先端Ｐｓｅが搬送路３Ｙから回転刃４６ｂ側へ垂れてしまうことを防止できる。
【００３９】
さらに用紙切断部６は、フレーム下端部３２ｆｄにおける切断開始位置Ｐｃｓ側の端部から切断終了位置Ｐｃｅ側の端部までに亘って案内部材５２を設けるのではなく、搬送幅方向に関し切断開始位置Ｐｃｓ側の半分程度の範囲のみに案内部材５２を設けるようにした。ここで、切断された用紙は、切断終了位置Ｐｃｅ側からではなく切断開始位置Ｐｃｓ側から、回転刃４６ｂ側へ垂れ始めることとなる。このため用紙切断部６は、切断終了位置Ｐｃｅ側には案内部材５２を設けなくても、回転刃４６ｂ側へ垂れ始める、次用紙Ｐｓの切断開始位置Ｐｃｓ側の端部を固定刃３２ｂ側へ進行させることができる。これにより用紙切断部６は、切断開始位置Ｐｃｓ側の端部から切断終了位置Ｐｃｅ側の端部までに亘って接着部材５４及び案内部材５２を設ける場合と比較して、使用する部材を少なくしつつ、次用紙Ｐｓが搬送路３Ｙから回転刃４６ｂ側へ垂れてしまうことを十分に防止できる。
【００４０】
さらに用紙切断部６は、搬送幅方向に沿って連続的に案内部材５２を設けるようにした。このため用紙切断部６は、搬送幅方向に沿って離散的に案内部材５２を設ける場合と比較して、次用紙Ｐｓの次用紙先端Ｐｓｅが離散的な案内部材５２に引っかかって正常に固定刃３２ｂ側へ進行しないことを防止できる。
【００４１】
ここで仮に、案内部材５２をフィルムよりも剛性が高く厚紙用紙Ｐｃに当接しても変形しない部材で形成した場合、厚紙用紙Ｐｃの剛性が、ばね３４による付勢力を上回って固定刃３２ｂを持ち上げるような剛性であると、厚紙用紙Ｐｃの反力によって固定刃３２ｂが回転刃４６ｂから離隔するように上側へ移動して固定刃３２ｂと回転刃４６ｂとの圧接力が低減してしまい切断不良が発生してしまう可能性がある。
【００４２】
これに対し用紙切断部６は、可撓性を有する弾性変形可能な薄いフィルムで案内部材５２を構成するようにした。このため用紙切断部６は、剛性の高い厚紙用紙Ｐｃを搬送しつつ切断する場合、該厚紙用紙Ｐｃに当接した案内部材５２の先端を、搬送路３Ｙに対し該厚紙用紙Ｐｃの搬送経路から退避するように上側である固定刃３２ｂ側へ撓ませることができる。これにより用紙切断部６は、剛性の高い厚紙用紙Ｐｃを搬送しつつ切断する場合であっても、固定刃３２ｂが回転刃４６ｂから離隔するように上側へ移動して固定刃３２ｂと回転刃４６ｂとの圧接力が低減してしまうことを防止し切断不良を防止できる。かくして用紙切断部６は、固定刃３２ｂに案内部材５２を固定し固定刃３２ｂと案内部材５２とが連動する構成であっても、厚紙用紙Ｐｃの反力を案内部材５２の撓みで吸収し、様々な厚さの用紙に対して切断性能を安定化させることができる。
【００４３】
さらに用紙切断部６は、案内部材５２を薄いフィルムにより形成するようにした。このため用紙切断部６は、案内部材５２と当接してこすれた際に用紙が受ける抵抗を最小限にすることができ、用紙が案内部材５２と当接したことで正常に搬送されなくなってしまうことを防止できる。
【００４４】
以上の構成によれば用紙切断部６は、媒体としての用紙Ｐが搬送される搬送路３Ｙに対し用紙Ｐの紙面に直交する厚さ方向の一方向側である上側に設けられた固定刃ユニット２８と、搬送路３Ｙに対し一方向側とは逆方向側である下側に設けられ、回転刃回転方向Ｄｒ１へ回転することにより固定刃ユニット２８の固定刃３２ｂと刃先を交差させて、搬送される用紙Ｐを切断箇所ＣＰにおいて切断する回転刃ユニット４２と、切断箇所ＣＰよりも搬送方向の上流側に設けられ、用紙を回転刃ユニット４２側へ付勢する案内部材５２とを設けるようにした。
【００４５】
これにより用紙切断部６は、用紙の切断後に、回転刃４６ｂ側への撓みを解消しようとする用紙の復元力により、切断箇所ＣＰよりも搬送方向の上流側に位置する次用紙Ｐｓにおける次用紙先端Ｐｓｅを固定刃３２ｂ側へ進行させることができる。
【００４６】
［８．他の実施の形態］
なお上述した実施の形態においては、案内部材５２を固定刃部３２に固定する場合について述べた。本発明はこれに限らず、構成が複雑化すると共に切断箇所ＣＰとの位置精度を保ちにくくはなるものの、案内部材５２を固定刃部３２に固定しなくても良い。また、案内部材５２を固定刃部３２に固定しないものの該固定刃部３２に連動するようにしても良い。
【００４７】
また上述した実施の形態においては、フレーム下端部３２ｆｄの下側面における、切断開始位置Ｐｃｓ側の端部から搬送幅方向のほぼ中央部までに亘って案内部材５２を設ける場合について述べた。本発明はこれに限らず、フレーム下端部３２ｆｄの下側面における、切断開始位置Ｐｃｓ側の端部から搬送幅方向のほぼ中央部よりもさらに切断終了位置Ｐｃｅ側までに亘って案内部材５２を設けても良く、切断開始位置Ｐｃｓ側の端部から例えば切断終了位置Ｐｃｅ側の端部までに亘って案内部材５２を設けても良い。また、画像形成装置１において取り扱われる用紙が単一のサイズの用紙であれば、その用紙の切断開始位置Ｐｃｓ側の端部のみを含むように、案内部材５２の搬送幅方向の長さを短くしても良い。
【００４８】
さらに上述した実施の形態においては、搬送幅方向に沿って連続的に案内部材５２を設ける場合について述べた。本発明はこれに限らず、搬送幅方向に沿って離散的に案内部材５２を設けても良い。
【００４９】
さらに上述した実施の形態においては、案内部材５２をフィルムにより形成する場合について述べた。本発明はこれに限らず、用紙の厚さが厚く且つ剛性が高い場合に該用紙の搬送経路から退避するように変形できれば、フィルム以外の他の種々の部材により案内部材５２を形成しても良い。また、用紙切断部６が薄紙用紙Ｐｎのみを切断し厚紙用紙Ｐｃを切断しない場合や、厚紙用紙Ｐｃであっても剛性が低く、ばね３４の付勢力に勝って固定刃３２ｂを持ち上げない場合や、案内部材５２が固定刃３２ｂと連動しない場合は、フィルムよりも剛性が高く厚紙用紙Ｐｃに当接しても変形しない部材により案内部材５２を形成しても良い。
【００５０】
さらに上述した実施の形態においては、案内部材５２を両面テープである接着部材５４で固定刃部３２に固定する場合について述べた。本発明はこれに限らず、案内部材５２を接着剤等、他の種々の部材である接着部材５４で固定刃部３２に固定しても良い。
【００５１】
さらに上述した実施の形態においては、搬送路３Ｙの上側及び下側にそれぞれ固定刃ユニット２８及び回転刃ユニット４２が配置された用紙切断部６に本発明を適用する場合について述べた。本発明はこれに限らず、搬送路３Ｙの上側及び下側にそれぞれ回転刃ユニット及び固定刃ユニットが設けられた用紙切断部や、例えば鉛直方向に沿って延びる搬送路の前側及び後側にそれぞれ回転刃ユニット及び固定刃ユニットが設けられた用紙切断部に本発明を適用しても良い。
【００５２】
さらに上述した実施の形態においては、ロール状の用紙を切断する用紙切断部６に本発明を適用する場合について述べた。本発明はこれに限らず、カット済のカット紙等を切断する用紙切断部に本発明を適用しても良い。
【００５３】
さらに上述した実施の形態においては、画像形成部８よりも搬送方向上流側に用紙切断部６を設ける場合について述べた。本発明はこれに限らず、画像形成部８よりも搬送方向下流側に用紙切断部６を設けても良い。
【００５４】
さらに上述した実施の形態においては、直接転写方式の画像形成装置１に本発明を適用する場合について述べた。本発明はこれに限らず、中間転写ベルト上に１次転写されたトナー画像を用紙に２次転写する中間転写方式等、種々の方式のプリンタに本発明を適用しても良い。
【００５５】
さらに上述した実施の形態においては、３つのプロセスユニット９を用いる画像形成装置１に本発明を適用する場合について述べた。本発明はこれに限らず、１つのプロセスユニットを用いる単色画像形成装置や、２つ又は４つ以上の任意の個数のプロセスユニットを用いる画像形成装置に本発明を適用しても良い。
【００５６】
さらに上述した実施の形態においては、電子写真方式のプリンタである画像形成装置１に設けられた用紙切断部６に本発明を適用する場合について述べた。本発明はこれに限らず、ＭＦＰ（MultiFunction Printer：複合機）、複写機、自動原稿読み取り装置等に含まれる画像形成装置に設けられた用紙切断部にも本発明を適用して良い。
【００５７】
さらに上述した実施の形態においては、固定刃としての固定刃ユニット２８と、回転刃としての回転刃ユニット４２と、案内部材としての案内部材５２とによって、媒体切断装置としての用紙切断部６を構成する場合について述べた。本発明はこれに限らず、その他種々の構成でなる固定刃と、回転刃と、案内部材とによって、媒体切断装置を構成しても良い。
【産業上の利用可能性】
【００５８】
本発明は、用紙を切断する種々の機器でも利用できる。
【符号の説明】
【００５９】
１……画像形成装置、２……本体部、２Ｙ……搬送路、３……搬送切断部、３Ｙ……搬送路、４……用紙ガイド、４ｕ……上側用紙ガイド、４ｄ……下側用紙ガイド、５ａ、５ｂ、５ｃ、５ｄ……搬送ローラ対、６、１０６……用紙切断部、７……本体部筐体、８……画像形成部、９……プロセスユニット、１０……転写ベルト、１１……定着器、２３……開閉軸、２８……固定刃ユニット、３０……固定刃板金、３０ｍ……固定刃板金本体部、３０ｓ……固定刃軸支持部、３２……固定刃部、３２ｆ……固定刃部フレーム、３２ｆｂ……フレーム前端部、３２ｆｄ……フレーム下端部、３２ａ……固定刃軸、３２ｈ……固定刃軸孔、３４……ばね、４２……回転刃ユニット、４４……回転刃ブラケット、４４Ｒ、４４Ｌ……回転刃軸支持部、４４Ｃ……左右延在部、４４ｈ……回転刃軸支持孔、４６……回転刃部、４６ａ……回転刃軸、４６ｂ……回転刃、４８……カッタ駆動ギヤ、５０Ｒ、５０Ｌ……嵌合溝、５２……案内部材、５４……接着部材、５６……上向きガイド、Ｐｃｓ……切断開始位置、Ｐｃｅ……切断終了位置、Ｄｒ……回転刃回転方向、ＣＰ……切断箇所、Ｐｎ……薄紙用紙、Ｐｃ……厚紙用紙、Ｐｓ……次用紙、Ｐｓｅ……次用紙先端。
【図１】
2020138239.tif 000003
【図２】
2020138239.tif 000004
【図３】
2020138239.tif 000005
【図４】
2020138239.tif 000006
【図５】
2020138239.tif 000007
【図６】
2020138239.tif 000008
【図７】
2020138239.tif 000009
【図８】
2020138239.tif 000010
【図９】
2020138239.tif 000011
【図１０】
2020138239.tif 000012
【図１１】
2020138239.tif 000013
【図１２】
2020138239.tif 000014
【図１３】
2020138239.tif 000015